(57)【特許請求の範囲】
【請求項１】
筐体と、前記筐体内において取り付けられたローラと、前記ローラに巻き取り可能に取り付けられた筆記シートと、前記筆記シートに書かれた情報を読み取る読取手段と、前記ローラを回転させることによって前記読取手段の読み取り部分に前記筆記シートの弛みが無くなる程度の量を一旦巻き取った後、前記筐体内に前記筆記シートを巻き取る巻取制御手段と、前記筐体内にあって前記巻取制御手段によって巻き取られる印字媒体を搬送しつつ、前記読取手段によって読み取られた情報を印字媒体に印字する印字手段と、前記筆記シートの巻き取り完了を検知する検知手段と、前記検知手段によって前記筆記シートの巻き取り完了が検知されると、前記読取手段及び前記印字手段とを停止させる駆動手段とを有し、前記駆動手段は、前記印字手段の印字終了後、印字媒体が所定量送られるまで待って、印字媒体の搬送を停止させることを特徴とする電子黒板。
【請求項２】
筐体と、前記筐体内において取り付けられたローラと、前記ローラに巻き取り可能に取り付けられた筆記シートと、前記筆記シートの情報を読み取る読取手段と、前記ローラを回転させることによって前記読取手段の読み取り部分に前記筆記シートの弛みが無くなる程度の量を一旦巻き取った後、前記筐体内に前記筆記シートを巻き取る巻取制御手段と、印字媒体を所定量だけ巻き戻した後、搬送を開始し印字媒体を搬送しつつ、前記読取手段によって読み取られた情報を印字媒体に印字する印字手段と、前記筆記シートの巻き取り完了を検知する検知手段と、前記検知手段によって前記筆記シートの巻き取り完了が検知されると、前記読取手段及び前記印字手段を停止させる駆動手段とを有し、前記駆動手段は、前記印字手段の印字終了後、印字媒体が所定量送られるまで待って、印字媒体の搬送を停止させることを特徴とする電子黒板。
【発明の詳細な説明】
【０００１】
【発明の属する技術分野】
本発明は、可搬性を向上させた電子黒板に関するものである。
【０００２】
【従来の技術】
従来より、電子黒板は、会議室などにおいて広く利用されている。そして、電子黒板の記録シートに議事内容などを筆記して、参加者に見やすく掲示するだけでなく、参加者自身がメモを取らなくとも、筆記内容を用紙に印字して、参加者などに配布できるようになっている。
【０００３】
【発明が解決しようとする課題】
ところが、従来の電子黒板は、一般に、床面から立設される支持枠に固着されるものや、会議室などの垂直な壁面に固定された状態で使用されるものである。しかしながら、このような構成では、使用者が、別の場所や会議室のテーブル上などに、電子黒板を移動して使用することができない。
【０００４】
また、特殊な電子黒板として、箱形のケースと、このケースに対して一端部が引き出し可能に支持された記録シートとを備えるものが提案されている。このものは、概ね大型のスキャナと大型のプリンタを併合したようなものである。そして、使用者が、この種の電子黒板のケースを運搬すれば、電子黒板を移動して使用することも不可能ではない。
【０００５】
しかしながら、従来のこの種の電子黒板では、移動することを前提にして構成されておらず、使用者が手軽に移動させて使用できるとは、言い難いものであった。
【０００６】
そこで本発明は、電子黒板の本来の機能を損なわず、かつ手軽に移動して所望の場所で使用できる電子黒板を提供することを目的とする。
【０００７】
【課題を解決するための手段】
本発明の電子黒板は、上記問題点を解決するために、筐体と、前記筐体内において取り付けられたローラと、前記ローラに巻き取り可能に取り付けられた筆記シートと、前記筆記シート上に書かれた情報を読み取る読取手段と、前記ローラを回転させることによって
前記読取手段の読み取り部分に前記筆記シートの弛みが無くなる程度の量を一旦巻き取った後、前記筐体内に前記筆記シートを巻き取る巻取制御手段と、前記筐体内にあって前記巻取制御手段によって巻き取られる印字媒体を搬送しつつ、前記読取手段によって読み取られた情報を印字媒体に印字する印字手段と、前記筆記シートの巻き取り完了を検知する検知手段と、前記検知手段によって前記筆記シートの巻き取り完了が検知されると、前記読取手段及び前記印字手段とを停止させる駆動手段とを有し、前記駆動手段は、前記印字手段の印字終了後、印字媒体が所定量送られるまで待って、印字媒体の搬送を停止させるものである。
【０００８】
【発明の実施の形態】
請求項１記載の電子黒板は、筐体と、前記筐体内において取り付けられたローラと、前記ローラに巻き取り可能に取り付けられた筆記シートと、前記筆記シートに書かれた情報を読み取る読取手段と、前記ローラを回転させることによって前記読取手段の読み取り部分に前記筆記シートの弛みが無くなる程度の量を一旦巻き取った後、前記筐体内に前記筆記シートを巻き取る巻取制御手段と、前記筐体内にあって前記巻取制御手段によって巻き取られる印字媒体を搬送しつつ、前記読取手段によって読み取られた情報を印字媒体に印字する印字手段と、前記筆記シートの巻き取り完了を検知する検知手段と、前記検知手段によって前記筆記シートの巻き取り完了が検知されると、前記読取手段及び前記印字手段とを停止させる駆動手段とを有し、前記駆動手段は、前記印字手段の印字終了後、印字媒体が所定量送られるまで待って、印字媒体の搬送を停止させるものである。
【０００９】
この構成により、収納・運搬時にはシートを巻き取って非常にコンパクトにできるとともに、簡単な打ち合わせの場合にはシートの一部のみを引き出して打ち合わせ内容をメモし、その場でコピーすることができる。
【００１０】
次に図面を参照しながら、本発明の実施の形態について説明する。ここで図１は本発明の一実施の形態における電子黒板の斜視図である。図１において、１は、内部が空洞の横長箱状に形成されたケースである。２は、ケース１から巻き取り方向Ｙの反対方向に引き出し可能に支持される記録シートである。ここで、巻き取り方向Ｙは長手方向Ｘに直交する。そして、記録シート２の一端部には、使用者がつかみやすいように、把手３が半固定されている。
【００１１】
４、５は、ケース１の前面左側に設けられ、図３の破線で示すように、開閉自在に取り付けられたプリンタ部扉である。プリンタ部扉４、５を開くと後述するプリンタ部２０が露呈し、感熱紙２１等を補充できるようになっている。また、プリンタ部扉４の下端縁とケース１との間には、狭いスリット６があいており、スリット６から印字済みの感熱紙２１が排出され、プリンタ部扉４の下端縁（鋭角になっている）で、排出された感熱紙２１をカットできるようになっている。
【００１２】
また、ケース１の前面の右側には、コピーボタン７、巻き取りボタン８、電源表示ランプ９が配置され、ケース１の右側面には、外部のプリンタなどの情報処理装置にデータを転送するため、インターフェース（以下、Ｉ／Ｆ）１０が設けられている。
【００１３】
ケース１の内部は、図２（本発明の一実施の形態における電子黒板の正面図）のようになっている。即ち、ケース１の内部空間は、下側から順に、長手方向Ｘと平行な第１の空間Ｓ１と第２の空間Ｓ２とに分けられている。そして、下側の第１の空間Ｓ１には、そのほぼ全長にわたって記録シート２が収納されている。また、記録シート２の両端部には、ギアキャップ１１、１２が装着されており、そのうちの、ギアキャップ１１には、歯車列１４を介してパルスモータからなる巻き取りモータ１５の駆動力が伝達されている。
【００１４】
即ち、巻き取りモータ１５を駆動すると、記録シート２を巻き取り方向Ｙに送ることができる。そして、図２に示すように、ケース１の下端部には、リミットスイッチＬＳが配置され、リミットスイッチＬＳが把手３に当接してオンになると、巻き取りモータ１５の駆動が停止されるようになっている。また、ケース１の下端縁のすぐ上部には、巻き取られる記録シート２に記載された画像を読み取る光学ユニット１３が、記録シート２の幅いっぱいに配置されている。
【００１５】
さらに、第１の空間Ｓ１の上部に設定される第２の空間Ｓ２には、左右方向の重量バランスが最良になるように、左側にプリンタ部２０が配置され、右側に基板部３０が配置されている。また図３に示すように、プリンタ部２０のうち、２１はロール状の感熱紙であって、左右には、フランジキャップ２２が装着されて位置ずれが防止されている。この感熱紙２１は、プラテン２３とサーマルヘッド２４に挟持され、紙送りモータ２５で駆動されるプラテン２３の回転により矢印Ｎ１方向へ搬送されるとともに、サーマルヘッド２４によって印字が行われ、スリット６を介してケース１の外部へ排出される。
【００１６】
また、第１の空間Ｓ１において、記録シート２は、ケース１の長手方向に軸方向を有し、かつケース１に対して回転自在に軸支されているシートローラ４０に、筆記面Ｗが内側になるように巻き付けられる。そして、記録シート２は、位置決め部材１８に当接すると共にガイドローラ１９に周接することにより、一定の位置を通過して巻き取られるようになっている。そして、光学ユニット１３は、位置決め部材１８に当接する箇所において、記録シート２に光源１６からライン状の光を照射し、その反射光をイメージセンサ１７で読み取るものである。
【００１７】
また、上述したように、第２の空間Ｓ２の右側には、基板部３０が配置されている。そして、図４に示すように、基板部３０では、プリンタ部２０と巻き取りモータ１５、紙送りモータ２５及び光学ユニット１３を制御するコントロール基板３２がケース１の前面側に配置され、プリンタ部２０と巻き取りモータ１５、紙送りモータ２５及び光学ユニット１３に電力を供給する電源基板３１がケース１の背面側に設置されている。このうち、電源基板３１は、大型の部品が実装され、角チップ等の小型軽量の部品が実装されるコントロール基板３２よりも重い。このため、このような配置を取ることにより、ケース１の背面側を重くして、ケース１の背面を水平面に設置したときの重量バランスを良好に保持することができる。
【００１８】
次に、図５を用いて処理ブロックを説明する。図５に示すように、イメージセンサ１７が出力するアナログの画像信号は、Ａ／Ｄ変換器４２でデジタル画像信号に変換され、シェーディング補正回路４３で画素毎のばらつきが補正された上で、縮小回路４４により感熱ヘッド２４による印字の画素数に応じて縮小処理される。そして、２値化回路４５で２値化された後、サーマルヘッド２４にて出力される。ＣＰＵ４７は、以上のような画像処理系のほか、装置全体を制御する。
【００１９】
バックアップメモリ４８には、予め標準的な白基準データが保存され、その値は適時更新される。また、白基準メモリ４９にはシェーディング補正回路４３でシェーディング補正処理を行うための白基準データが一時格納される。
【００２０】
尚、モータドライバ５０は巻き取りモータ１５を、又、モータドライバ６１は紙送りモータ２５を駆動するものであって、ＣＰＵ４７の制御の下に巻き取りモータ１５、紙送りモータ２５の回転量、回転方向、回転速度を任意に調節するものである。
【００２１】
次に、記録シート２がケース１から任意の長さだけ引き出された状態でコピーボタン７が押し下げられた際の動作について、図６、図７を用いて説明する。
【００２２】
先ず、コピーボタン７が押し下げられると、ＣＰＵ４７は、光源１６を点灯させ（ステップ１）、紙送りモータ２５（プラテン２３）を逆転させて、サーマルヘッド２４からスリット６までの部分だけ感熱紙２１を巻き戻す（ステップ２）。次に、記録シート２を所定量（記録シート２にテンションを与えて、読取部分に弛みが無くなる程度の量）巻き取った後（ステップ３、４）、イメージセンサ１７により記録シート２の表面を読み取り、白基準データを得る（ステップ５）。このように、白基準データを読み取る前に記録シート２にテンションを与えるため、記録シート２の弛みによる悪影響を受けずに、正確な白基準データを取得でき、その結果、精度の高いシェーディング補正を行うことができるので、印字品質を向上できる。
【００２３】
そして、ＣＰＵ４７は、読み取った白基準データの値が適正であるか否かを判定し（ステップ６）、適正であれば白基準メモリ４９に読み取った白基準データを格納するとともに、その値によってバックアップメモリ４８に格納された標準値を更新する（ステップ７）。一方、適正でなければ、バックアップメモリ４８に記憶されている標準値を白基準データとして白基準メモリ４９に書き込む（ステップ８）。
【００２４】
記録シート２が全部引き出された状態からコピーボタン７が押されると、ステップ５における白基準データの読み取りは、記録シート２の内、ケース１から引き出され得ないシートローラ４０の近傍部分で行われるため、得られた白基準データは図８に示すように適正な値となる。しかし、記録シート２を途中までしか引き出さずにコピーボタン７が押されると、白基準データを読み取る部分には何らかの文字や線などが書き込まれている可能性があり、その場合には、得られた白基準データは図９に示すように白基準としては適正ではない値となる。従って、本実施の形態では、ステップ６、ステップ７、ステップ８の処理を行い、常に正確な白基準データでシェーディング補正を行うこととしている。
【００２５】
この後、記録シート２の所定量（記録シート２の引き出されていた部分のうち、把手３の反対側の端部が読取部分に達する量）の巻き取りを行い（ステップ９）、モータドライバ６１により紙送りモータ２５を駆動して感熱紙２１の搬送を開始するとともに（ステップ１０）、イメージセンサ１７から読み取りを行いつつサーマルヘッド２４によって感熱紙２１に印字を行う（ステップ１１）。そして、リミットスイッチＬＳがオンになるまで読み取り・印字が行われ、リミットスイッチＬＳがオンになると（ステップ１２）、イメージセンサ１７による読み取り及びサーマルヘッド２４の駆動を停止して（ステップ１３）、記録シート２の巻き取りを停止し（ステップ１４）、光源１６を消灯する（ステップ１５）。ＣＰＵ４７は、ステップ１３における印字停止後、感熱紙２１の送り量を監視し、その送り量が所定量になるまで、即ち、感熱紙２１の印字済の部分がプリンタ部扉４の下端縁のスリット６から外側に繰り出されるまで、感熱紙２１を空送りし（ステップ１６、１７）、一連の処理を終了する。このように、印字終了後に感熱紙２１の搬送を停止するため、記録シートを任意量引き出してコピーを行う場合には、感熱紙２１の使用量を必要最小限とすることができる。
【００２６】
尚、本実施の形態では、読み取った白基準データが適正な値ではない場合に、バックアップメモリ４８に記憶されている標準値を白基準データとすることとしているが、読み取ったデータのうち、適正ではない部分のみを標準値を用いて補正して白基準データとしてもよい。又、感熱紙２１の切断はオートカッターなどにより自動としてもよい。
【００２７】
【発明の効果】
本発明は、以上のように構成したので、携帯性に優れた電子黒板を得ることができる。また、コピーの際に使用する用紙の量を必要最小限とすることができる。
【図面の簡単な説明】
【図１】本発明の一実施の形態における電子黒板の斜視図
【図２】本発明の一実施の形態における電子黒板の正面図
【図３】図２におけるＡ−Ａ断面図
【図４】図２におけるＢ−Ｂ断面図
【図５】本発明の実施の形態における電子黒板のブロック図
【図６】同電子黒板の処理フローチャート
【図７】同電子黒板の処理フローチャート
【図８】同電子黒板における適正な白基準データの説明図
【図９】同電子黒板における不適正な白基準データの説明図
【符号の説明】
１  ケース
２  記録シート
１３  光学ユニット
１５  巻き上げモータ
２０  プリンタ部
３０  基板部
３１  電源基板
３２  コントロール基板
Ｓ１  第１の空間
Ｓ２  第２の空間
【図１】
0003785746.tif 000002
【図２】
0003785746.tif 000003
【図３】
0003785746.tif 000004
【図４】
0003785746.tif 000005
【図５】
0003785746.tif 000006
【図６】
0003785746.tif 000007
【図７】
0003785746.tif 000008
【図８】
0003785746.tif 000009
【図９】
0003785746.tif 000010